(57)【要約】【課題】接点信号の変化時間が短く、接点変化の検出に取りこぼしがあることが後から判明した場合でも、効果的かつ確実に、接点変化を検出できるプラント監視制御装置を提供すること。【解決手段】ディレイタイマ機能付き伝送出力処理回路２１は、プラント信号入力処理回路５および内部演算回路６から通知された接点信号及びアナログ信号を、予め定められた一定周期にて伝送ネットワーク３へ出力する。ディレイタイマ機能付き伝送出力処理回路２１は、オフディレイタイマ処理機能とオンディレイタイマ処理機能を有する。【選択図】  図１
2016053924.tif 000002
【特許請求の範囲】
【請求項１】
プラントから入力されるプラント信号を、伝送ネットワークを介してプラント信号を監
視する監視装置に伝送する制御装置を有するプラント監視制御装置において、
前記制御装置が、
プラント信号がＯＮからＯＦＦに変化した場合にＯＮ状態を所定時間延長するオフディレ
イ処理機能と、プラント信号がＯＦＦからＯＮに変化した場合にＯＦＦ状態を所定時間延
長するオンディレイ処理機能とを有するプラント監視制御装置。
【請求項２】
前記オフディレイ処理機能またはオンディレイ処理機能における所定時間を、それぞれ設
定可能である請求項１記載のプラント監視制御装置。
【請求項３】
前記オフディレイ処理機能またはオンディレイ処理機能を、予め設定したプラント信号
に適用する請求項１又は２記載のプラント監視制御装置。
【発明の詳細な説明】
【技術分野】
【０００１】
本発明の実施態様は、発電プラント等の監視制御装置に関する。
【背景技術】
【０００２】
発電プラントや化学プラント等の監視制御を行うプラント監視制御装置３０は、図４に示
すように、制御装置１、監視装置２および伝送ネットワーク３を有する。システムの規模
に応じて、制御装置１や監視装置２は、プラント４に対して複数の構成となるが、説明の
簡略化のため、図４では制御装置１と監視装置２を１台の構成としている。制御装置１は
、プラント信号入力処理回路５、内部演算回路６および伝送出力処理回路７を有する。監
視装置２は、入力信号スキャン処理回路８および入力信号更新データ保存装置９を有する
。画面表示処理回路１０は、入力信号更新データ保存装置９に保存された制御装置１から
伝送された伝送信号の値を、液晶ディスプレイ等に代表される表示装置１１に表示する。
【０００３】
伝送出力処理回路７は、プラント信号入力処理回路５および内部演算回路６からの接点信
号およびアナログ信号を、予め定められた一定周期にて伝送ネットワーク３へ出力する。
【０００４】
入力信号スキャン処理回路８は、伝送ネットワーク３から入力した伝送信号を、予め定め
られた一定周期にてスキャン処理し、入力信号更新データ保存装置９に保存する。
【０００５】
このような従来のプラント監視制御装置では、制御装置１から伝送出力する周期と監視装
置２で伝送入力信号のスキャン処理周期とが非同期であるため、伝送信号の一例として接
点信号の変化が短時間であった場合には、接点信号が変化したことを監視装置２で捉えら
れない場合がある。
【０００６】
例えば、初期状態がＯＦＦであった接点信号が、短時間だけＯＮして、再びＯＦＦ状態に
戻るような動作をした場合には、タイミングによっては、監視装置２が接点信号がＯＮし
たことを捉えられない。また、これとは逆に接点信号の初期状態がＯＮ状態で、短時間だ
けＯＦＦして再びＯＮ状態に戻るような動作をした場合にも、タイミングによっては、監
視装置２では、接点信号がＯＦＦしたことを捉えられない。図５は、この状態を例示した
タイミングチャートである。図５におけるケース１では、接点信号がＯＮしたことを監視
装置２で捉えているが、ケース２では接点信号のＯＮしている時間が短く、接点信号がＯ
Ｎしたことを監視装置２で捉えられず、結果として接点変化を監視装置２で取りこぼして
いる。
【先行技術文献】
【特許文献】
【０００７】
【特許文献１】特開２００５−３０１９４０号公報
【発明の概要】
【発明が解決しようとする課題】
【０００８】
本発明が解決しようとする課題は、接点信号の変化時間が短く、接点変化の検出に取り
こぼしがあることが後から判明した場合でも、効果的かつ確実に、接点変化を検出できる
プラント監視制御装置を提供することである。
【課題を解決するための手段】
【０００９】
上記課題を解決するために、実施形態の位相制御装置は、プラントから入力されるプラン
ト信号を、伝送ネットワークを介してプラント信号を監視する監視装置に伝送する制御装
置を有するプラント監視制御装置において、前記制御装置が、プラント信号がＯＮからＯ
ＦＦに変化した場合にＯＮ状態を所定時間延長するオフディレイ処理機能と、プラント信
号がＯＦＦからＯＮに変化した場合にＯＦＦ状態を所定時間延長するオンディレイ処理機
能とを有する。
【図面の簡単な説明】
【００１０】
【図１】第１の実施形態のプラント監視制御装置。
【図２】第１の実施形態のプラント監視制御装置のタイミングチャート。
【図３】第２の実施形態のプラント監視制御装置。
【図４】従来のプラント監視制御装置。
【図５】従来のプラント監視制御装置のタイミングチャート。
【発明を実施するための形態】
【００１１】
以下、発明を実施するための実施形態について説明する。
【００１２】
（第１の実施形態）
第１の実施形態のプラント監視制御装置について、図１を参照して説明する。
【００１３】
プラント監視制御装置３０は、制御装置１および監視装置２が伝送ネットワーク３を介し
て接続された構成を有している。なお、プラント監視制御装置では、制御装置１および監
視装置２は、それぞれ複数となる構成が一般的であるが、説明を単純化するために、それ
ぞれ１台ずつの構成とした。
【００１４】
制御装置１は、プラント信号入力処理回路５、内部演算回路６およびディレイタイマ機能
付き伝送出力処理回路２１により構成され、監視装置２は、入力信号スキャン処理回路８
、入力信号更新データ保存装置９、画面表示処理回路１０および表示装置１１を有してい
る。
【００１５】
プラント信号入力処理回路５は、プラント４から接点信号やアナログ信号を入力し、内部
演算回路６へ入力した信号を通知すると共に、そのまま監視装置２へ伝送する信号につい
ては、ディレイタイマ機能付き伝送出力処理回路２１へ通知する。
【００１６】
内部演算回路６は、プラント信号入力処理回路５から通知された入力信号を用いて、例え
ばアナログ入力信号に上限警報検出処理や、下限警報検出処理を行い、警報接点信号を作
成する等の必要な内部演算を行い、その結果である警報接点信号を必要に応じてディレイ
タイマ機能付き伝送出力処理回路２１へ通知する。
【００１７】
ディレイタイマ機能付き伝送出力処理回路２１は、プラント信号入力処理回路５および内
部演算回路６から通知された接点信号およびアナログ信号を、予め定められた一定周期に
て伝送ネットワーク３へ出力する。ディレイタイマ機能付き伝送出力処理回路２１は、オ
フディレイタイマ処理機能とオンディレイタイマ処理機能を有する。
【００１８】
オフディレイタイマ処理機能とは、入力した接点信号がＯＮ状態からＯＦＦ状態に変化し
た際、予め定められた遅延時間だけＯＮ状態を延長して接点信号を出力するものであり、
オンディレイタイマ処理機能とは、入力した接点信号がＯＦＦ状態からＯＮ状態に変化し
た際、予め定められた遅延時間だけＯＦＦ状態を延長して接点信号を出力するものである
。オフディレイタイマ処理機能とオンディレイタイマ処理機能は、個別に有効／無効の選
択をすることが可能である。    
入力信号スキャン処理回路８は、伝送ネットワーク３から入力した伝送信号を予め定めら
れた一定周期にてスキャン処理し、入力信号更新データ保存装置９に保存する。
【００１９】
画面表示処理回路１０は、入力信号更新データ保存手段９に保存された制御装置１から伝
送されてきた伝送信号の値を、液晶ディスプレイ等に代表される表示装置１１に表示する
。
【００２０】
図２は、プラント信号入力処理回路５及び内部演算回路６から通知される接点信号の変化
時間が短く、入力信号スキャン処理回路８にて接点変化が検出出来ないケースにおいて、
ディレイタイマ機能付き伝送出力処理回路２１のオフディレイタイマ処理機能を無効にし
た場合と有効にした場合の違い示したタイミングチャートである。図２の例では、オフデ
ィレイタイマ処理機能の遅延時間を３秒としている。
【００２１】
このように、ディレイタイマ機能付き伝送出力処理回路２１に内蔵されたオンディレイタ
イマ処理機能およびオフディレイタイマ処理機能を、必要に応じて片方又は両方を有効と
することにより、予め定められた遅延時間だけ接点信号のＯＮ時間又はＯＦＦ時間を延長
して伝送ネットワーク３へ出力することが可能となり、接点信号の動作が短時間な場合で
も、入力信号スキャン処理８により確実に接点変化の検出が可能となる。
【００２２】
本実施形態によれば、プラント４から入力される接点信号もしくはアナログ信号の変化が
速く、プラント信号入力処理回路５および内部演算回路６から通知される接点信号の変化
時間が短い場合であっても、伝送処理回路４に対して、オフディレイタイマ処理機能とオ
ンディレイタイマ処理機能を有効にすることにより、プラント運転中でも入力信号スキャ
ン処理回路８により確実に接点変化の検出が可能となる。
【００２３】
なお、プラント信号入力処理回路５および内部演算回路６から通知される接点信号の変化
時間が短く、監視装置２で接点変化の検出に取りこぼしがあることが後から判明し、制御
装置２でオフディレイタイマ処理機能やオンディレイタイマ処理機能を追加することがあ
る。プラント運転中の場合には、安全上の問題等によりオンラインでの改造が不可能な場
合があるが、本実施形態は、改造ではなく、パラメータ変更によって、オフディレイタイ
マ機能やオンディレイタイマ機能を追加することが可能となるため、プラントを停止せず
とも、接点変化を確実に検出することが可能となる。
【００２４】
（第２の実施形態）
第２の実施形態のプラント監視制御装置について、図３を参照して説明する。
【００２５】
図３は、図１に示したディレイタイマ機能付き伝送処理回路２１を、オフディレイタイマ
処理機能の遅延時間とオンディレイタイマ処理機能の遅延時間を、接点信号毎に、それぞ
れ設定可能な機能を有する信号別遅延時間設定可能型ディレイタイマ機能付き伝送処理回
路２２としたものである。これ以外の要素は同じである。
【００２６】
実施形態１の説明と重複する部分については省略し、異なる機能を有する信号別遅延時間
設定可能型ディレイタイマ機能付き伝送処理回路２２について説明する。
【００２７】
プラント信号入力処理回路５および内部演算回路６から通知される接点信号の動作時間が
短く、制御装置１の伝送出力周期と監視装置２の入力信号スキャン処理周期との関係で接
点信号の伝送に取りこぼしが発生した場合には、取りこぼしが発生した接点信号に対して
個別に、信号別遅延時間設定可能型ディレイタイマ機能付き伝送処理回路２２に内蔵され
たオンディレイタイマ処理機能およびオフディレイタイマ処理機能の遅延時間設定を、必
要に応じて片方もしくは両方について最適な遅延時間に設定変更する。これにより、対象
となる接点信号に対してのみ、設定した遅延時間だけ接点信号のＯＮ時間もしくはＯＦＦ
時間を延長して伝送ネットワーク３へ出力することが可能となり、もともと伝送取りこぼ
しが発生していない接点信号については、遅延時間をゼロと設定することが可能となる。
【００２８】
実施形態２のプラント監視制御装置によれば、制御装置１の伝送出力周期と監視装置２の
入力信号スキャン処理周期との関係によって、接点信号の伝送取りこぼしが発生した接点
信号に対して、個別に遅延時間を最適に調整することが可能となり、対象の接点信号の伝
送取りこぼしを確実に防止することができる。さらに、遅延時間を必要最低限の時間とす
ることにより、本来の接点動作に近い監視が可能となると共に、伝送取りこぼしが発生し
ていない接点信号については、遅延時間設定をゼロとしておくことにより、遅延時間をな
くし、本来の接点動作に近い監視が可能となる。
【００２９】
本発明のいくつかの実施形態を説明したが、これらの実施形態は、例として提示したもの
であり、発明の範囲を限定することは意図していない。これら新規な実施形態は、その他
の様々な形態で実施されることが可能であり、発明の要旨を逸脱しない範囲で、種々の省
略、置き換え、変更を行うことができる。これら実施形態やその変形は、発明の範囲や要
旨に含まれるとともに、特許請求の範囲に記載された発明とその均等の範囲に含まれる。
【符号の説明】
【００３０】
１ ：制御装置
２ ：監視装置
３ ：伝送ネットワーク
４ ：プラント
５ ：プラント信号入力処理回路
６ ：内部演算回路
７ ：伝送出力処理回路
８ ：入力信号スキャン処理回路
９ ：入力信号更新データ保存装置
１０ ：画面表示処理回路
１１ ：表示装置
２１ ：ディレイタイマ機能付き伝送出力処理回路
２２  ：信号別遅延時間設定可能型ディレイタイマ機能付き伝送処理回路 
３０  ：プラント監視制御装置
【図１】
2016053924.tif 000003
【図２】
2016053924.tif 000004
【図３】
2016053924.tif 000005
【図４】
2016053924.tif 000006
【図５】
2016053924.tif 000007